(57)【要約】【課題】騒音及び振動を低減できるブラシアセンブリ及びこのようなブラシアセンブリを利用するモータを提供する。【解決手段】ブラシアセンブリは、回路基板と、少なくとも２つのブラシと、外部電源に接続するための複数の電力接続端子と、電力接続端子の対応する１つとブラシの対応する１つとの間に直列に接続された電源分岐回路とを含む。ブラシアセンブリは、電源分岐回路と接地との間に接続されたＥＭＩ抑制部をさらに備える。ＥＭＩ抑制部は、電導体コア、カバー、及び充填媒体によって形成された軸方向コンデンサである。カバーは、電導体コアの周りに取り付け、充填媒体は、電導体コアとカバーとの間に充填される。ブラシアセンブリを利用したモータも提供される。【選択図】図７
2017189092.tif 000002
【特許請求の範囲】
【請求項１】
ブラシアセンブリであって、
回路基板と、
少なくとも２つのブラシと、
外部電源に接続するための複数の電力接続端子と、
前記電力接続端子の対応する１つと前記ブラシの対応する１つとの間に直列に接続された電源分岐回路と、
前記電源分岐回路と接地との間に接続されたＥＭＩ抑制部であって、電導体コア、カバー、及び充満媒体によって形成された軸方向コンデンサであり、前記カバーは、前記電導体コアの周りに取り付け、前記充填媒体は、前記電導体コアと前記カバーとの間に充填されたＥＭＩ抑制部と、
を備えることを特徴とするブラシアセンブリ。
【請求項２】
モータであって、
ハウジングと、
前記ハウジングに取り付けたロータアセンブリと、
前記ハウジングに取り付けたステータアセンブリと、
整流子と、
前記ハウジングの一側面に取り付けたエンドキャップアセンブリと、
ブラシアセンブリと、を備え、前記ブラシアセンブリは、
回路基板と、
少なくとも２つのブラシと、
外部電源に接続するための複数の電力接続端子と、
前記電力接続端子の対応する１つと前記ブラシの対応する１つとの間に直列に接続された電源分岐回路と、
前記電源分岐回路と接地との間に接続されたＥＭＩ抑制部であって、電導体コア、カバー、及び充満媒体によって形成された軸方向コンデンサであり、前記カバーは、前記電導体コアの周りに取り付け、前記充填媒体は、前記電導体コアと前記カバーとの間に充填されたＥＭＩ抑制部と、を備える
ことを特徴とするモータ。
【請求項３】
前記ロータアセンブリは、軸及びロータコアを備え、前記軸の一端は、前記ハウジングに回転可能に収容され、他端は、前記ロータコア及び前記整流子を順に通過して前記エンドキャップアセンブリに回転可能に収容され、前記整流子は前記軸に取り付け、前記整流子は、前記ロータアセンブリに電気的に接続されるとともに前記ブラシアセンブリに摺動可能に接続されて、前記ロータアセンブリを前記外部電源に接続する、請求項２に記載のモータ。
【請求項４】
前記エンドキャップアセンブリは、エンドキャップ部分及び軸受シートを備え、前記ブラシアセンブリは、前記エンドキャップアセンブリに取り付け、前記軸受シートは、軸受け内で回転する前記ロータアセンブリを支持する軸受を収容するように構成された、請求項３に記載のモータ。
【請求項５】
前記エンドキャップ部分は、その２つの側面に第１の収容チャンバ及び第２の収容チャンバを定め、しかも前記第１の収容チャンバ及び前記第２の収容チャンバと連絡する貫通穴を定め、前記第１の収容チャンバ内に軸受シート収納部分が定まり、前記軸受シートは、板部材と、前記板部材のほぼ中央領域に配置された軸受スリーブとを含み、前記板部材は、前記第１の収容チャンバと前記第２の収容チャンバの底部との間に配置され、前記軸受スリーブは、前記軸受シート収納部分内に収納された、請求項４に記載のモータ。
【請求項６】
前記ブラシアセンブリは、少なくとも２つのインダクタをさらに備え、各インダクタは、対応する電源分岐回路と直列に接続され、前記２つのインダクタは、互いに並列であって前記第１の収容チャンバに収容され、前記２つのインダクタＬは、前記軸受シート収容部分の２つの側面に位置する、請求項５に記載のモータ。
【請求項７】
前記第２の収容チャンバに、整流子収納部分及び少なくとも２つのブラシ保持部が配置され、前記整流子収納部分は、前記軸受シート収納部分と連絡しかつ同軸に配置され、前記整流子は、整流子収納部分内に収容される、請求項５に記載のモータ。
【請求項８】
前記２つのブラシ保持部は、前記整流子収納部分の円周側面に対称的に配置され、各前記ブラシ保持部は、前記整流子収納部分と連絡している、請求項７に記載のモータ。
【請求項９】
前記ブラシアセンブリは、１つの対応するブラシと１つの対応するＥＭＩ抑制部との間に接続された少なくとも１つの熱スイッチを備える、請求項５に記載のモータ。
【請求項１０】
前記エンドキャップ部分は、前記エンドキャップ部分を貫通して前記第１の収容チャンバ及び前記第２の収容チャンバと連絡する、少なくとも２つの貫通穴を定め、前記板部材は、前記貫通穴と同軸の係合穴を定め、各前記ＥＭＩ抑制部は、１つの対応する貫通穴及び１つの対応する同軸の係合穴に収容される、請求項５に記載のモータ。
【発明の詳細な説明】
【技術分野】
【０００１】
[0002]  この発明は、モータに、特にブラシアセンブリ、及びブラシアセンブリを利用するモータに関する。
【背景技術】
【０００２】
[0003]  ブラシ直流モータは、ステータと、ステータに回転可能に取り付けたロータとを含む。ロータは、軸と、軸に固定された整流子と、ロータコアと、ロータコアの周りに巻き付け、整流子の片に電気的に接続されたロータ巻線とを含む。モータは、ブラシアセンブリをさらに含む。ブラシアセンブリは、整流子片と電気的に接続されたブラシを含む。ロータが作動するとき、ロータは、ステータに対して高速で回転し、ロータ巻線の極性が頻繁に変わることにより、モータから放射される高周波信号が生成され、その結果モータは、電磁妨害（ＥＭＩ）を起こす。
【発明の概要】
【０００３】
[0004]  従って、騒音及び振動を低減できるブラシアセンブリに対する要望がある。
【０００４】
[0005]  上記ブラシアセンブリを利用するモータに対する要望もある。
【０００５】
[0006]  １つの態様において、ブラシアセンブリが提供され、それは、回路基板と、少なくとも２つのブラシと、外部電源に接続するための複数の電力接続端子と、電力接続端子の対応する１つとブラシの対応する１つとの間に直列に接続された電源分岐回路とを含む。
ブラシアセンブリは、電源分岐回路と接地との間に接続されたＥＭＩ抑制部をさらに備える。ＥＭＩ抑制部は、電導体コア、カバー、及び充満媒体によって形成された軸方向コンデンサである。
【０００６】
[0007]  カバーは、電導体コアの周りに取り付け、充填媒体は、電導体コアとカバーとの間に充填されることが好ましい。
【０００７】
[0008]  モータが提供され、それは、ハウジング、ロータアセンブリ、ステータアセンブリ、整流子、エンドキャップアセンブリ、及びブラシアセンブリを備えることが好ましい。ロータアセンブリ及びステータアセンブリは、ハウジングに取り付ける。エンドキャップアセンブリは、ハウジングの一側面に取り付ける。ブラシアセンブリは、回路基板と、少なくとも２つのブラシと、外部電源に接続するための複数の電力接続端子と、電力接続端子の対応する１つとブラシの対応する１つとの間に直列に接続された電源分岐回路とを含む。ブラシアセンブリは、電源分岐回路と接地との間に接続されたＥＭＩ抑制部をさらに備える。ＥＭＩ抑制部は、電導体コア、カバー、及び充満媒体によって形成された軸方向コンデンサである。
【０００８】
[0009]  カバーは、電導体コアの周りに取り付け、充填媒体は、電導体コアとカバーとの間に充填されることが好ましい。
【０００９】
[0010]  ロータアセンブリは、軸及びロータコアを備え、軸の一端は、ハウジングに回転可能に収容され、他端は、ロータコア及び整流子を順に通過してエンドキャップアセンブリに回転可能に収容され、整流子は軸に取り付け、整流子は、ロータアセンブリに電気的に接続されるとともにブラシアセンブリに摺動可能に接続されて、ロータアセンブリを外部電源に接続することが好ましい。
【００１０】
[0011]  エンドキャップアセンブリは、エンドキャップ部分及び軸受シートを備える。ブラシアセンブリは、エンドキャップアセンブリに取り付けることが好ましい。軸受シートは、軸受け内で回転するロータアセンブリを支持する軸受を収容するように構成される。
【００１１】
[0012]  エンドキャップ部分は、その２つの側面に第１の収容チャンバ及び第２の収容チャンバを定め、しかも第１の収容チャンバ及び第２の収容チャンバと連絡する貫通穴を定めることが好ましい。第１の収容チャンバ内に軸受シート収納部分が定まる。軸受シートは、板部材と、板部材に配置された軸受スリーブとを含み、板部材は、第１の収容チャンバと第２の収容チャンバの底部との間に配置され、軸受スリーブは、軸受シート収納部分内に収納される。
【００１２】
[0013]  ブラシアセンブリは、少なくとも２つのインダクタをさらに備え、各インダクタは、対応する電源分岐回路と直列に接続され、２つのインダクタは、互いに並列であって第１の収容チャンバに収容され、２つのインダクタは、軸受シート収容部分の２つの側面に位置することが好ましい。
【００１３】
[0014]  第２の収容チャンバに、整流子収納部分及び少なくとも２つのブラシ保持部が配置されることが好ましい。整流子収納部分は、軸受シート収納部分と連絡しかつ同軸に配置され、整流子は、整流子収納部分内に収容される。
【００１４】
[0015]  ２つのブラシ保持部は、整流子収納部分の円周側面に対称的に配置されることが好ましい。各ブラシ保持部は、整流子収納部分と連絡している。
【００１５】
[0016]  ブラシアセンブリは、１つの対応するブラシと１つの対応するＥＭＩ抑制部との間に接続された少なくとも１つの熱スイッチを備えることが好ましい。
【００１６】
[0017]  第２の収容チャンバの底壁に複数のロック部分が配置されることが好ましい。ロック部分と第２の収容チャンバの下壁及び側壁とは、協働して収容空間を定め、ロック部分は、熱スイッチに係合して熱スイッチを収容空間内に固定する。
【００１７】
[0018]  板部材に複数の接触タブが配置されることが好ましい。回路基板の一側面には接地ラインを設ける。一部の接触タブは、第１の収容チャンバを通過して接地ラインにつながり、他の一部の接触タブは、ハウジングにつながる。
【００１８】
[0019]  ブラシアセンブリは、回路基板の一側面に取り付けたセンサアセンブリを備えることが好ましい。センサアセンブリはホールセンサを備え、ホールセンサは、外部電源に接続される。
【００１９】
[0020]  エンドキャップ部分は、エンドキャップ部分を貫通して第１の収容チャンバ及び第２の収容チャンバと連絡する、少なくとも２つの貫通穴を定めることが好ましい。板部材は、貫通穴と同軸の係合穴を定め、各ＥＭＩ抑制部は、１つの対応する貫通穴及び１つの対応する同軸の係合穴に収容される。
【００２０】
[0021]  本発明の実施形態のモータでは、ブラシアセンブリの各電源分岐回路にＥＭＩ抑制部が直列に接続され、ＥＭＩ抑制部は、主本体のうち延長部の向かい側に位置し、結果として回路の反ＥＭＩ能力が高まる。
【図面の簡単な説明】
【００２１】
【図１】本発明の好ましい実施形態によるモータの組立図である。
【図２】図１のモータの部分的な分解組立図である。
【図３】図１のモータのエンドキャップアセンブリ及びブラシアセンブリの組立図である。
【図４】図３のモータのエンドキャップアセンブリ及びブラシアセンブリの部分的な分解組立図である。
【図５】図２のモータのエンドキャップアセンブリ、及びブラシアセンブリの、別の角度から見た部分的な分解組立図である。
【図６】図３のエンドキャップアセンブリ及びブラシアセンブリの、その線ＶＩ−ＶＩに沿って取り出した断面図である。
【図７】図１のモータの部分的な断面図である。
【図８】図１のモータの放射ＥＭＩ及び伝導ＥＭＩ試験結果を示す線図である。
【図９】従来のモータの放射ＥＭＩ及び伝導ＥＭＩ試験結果を示す線図である。
【００２２】
[0031]  以下において、本発明の実施形態が添付図面を参照して詳細に説明される。
【発明を実施するための形態】
【００２３】
[0032]  本発明の実施形態の技術的解決法が、添付図面を参照して以下の通りに明確にかつ完全に説明される。以下に説明する実施形態は、本発明の実施形態の全てではなく、本発明の実施形態の一部に過ぎないことは明らかである。本開示の実施形態に基づき、当業者によって何らの創造的努力なしに得られるあらゆる実施形態は、本発明の保護範囲に属する。
【００２４】
[0033]  ある構成部品が別の構成部品に「固定」されると説明するとき、それは別の構成部品に直接固定することができ、又は中間の構成部品があっても良い、すなわち第３の構成部品を介して別の構成部品に間接的に固定しても良いことに注意されたい。ある構成部品が別の構成部品に「接続」されると説明するとき、それは、別の構成部品に直接接続することができ、又は中間の構成部品があっても良い。ある構成部品が別の構成部品に「配置」されると説明するとき、それは別の構成部品に直接配置することができ、又は中間の構成部品があっても良い。
【００２５】
[0034]  別段の定めがない限り、全ての技術用語及び科学用語は、当業者によって理解される意味と共通の意味を有する。この開示で用いる用語は、限定というよりも例示である。この開示で用いる「及び／又は」という用語は、列挙された１つ以上の関連する品目の各々の及び全ての組み合わせが含まれることを意味する。
【００２６】
[0035]  図１及び図２を参照して、本発明の好ましい実施形態によるモータ１００は、ブラシ付きモータである。モータ１００は、ハウジング１０、ロータアセンブリ３０、ステータアセンブリ４０、整流子５０（図３）、エンドキャップアセンブリ６０、及びブラシアセンブリ８０を含む。ロータアセンブリ３０及びステータアセンブリ４０は、ハウジング１０に取り付ける。整流子５０は、ロータアセンブリ３０に取り付け、ロータアセンブリ３０とともに回転する。エンドキャップアセンブリ６０は、ハウジング１０の一端に取り付け、ブラシアセンブリ８０は、整流子５０へ摺動可能にかつ電気的に接続される。
【００２７】
[0036]  この実施形態では、ハウジング１０は、開放端を備える円筒状構造である。ハウジング１０の閉鎖端には、内部にロータアセンブリ３０を回転可能に収容するために軸受（不図示）が取り付けられ、他端は開放端である。
【００２８】
[0037]  ロータアセンブリ３０は、ロータコア３４と、ロータコア３４によって駆動される軸３２とを含む。軸３２の一端は軸受に回転可能に取り付け、他端はエンドキャップアセンブリ６０に回転可能に取り付ける。ロータコア３４は、ステータアセンブリ４０に収容され、巻線（不図示）が巻かれる。この実施形態では、ステータアセンブリ４０は、少なくとも２つの永久磁石を含む。ロータアセンブリ３０及びステータアセンブリ４０の磁界は、互いに相互作用してロータアセンブリ３０を駆動して回転させる。
【００２９】
[0038]  図３も参照して、整流子５０は軸３２に取り付ける。整流子５０は、ロータアセンブリ３０の巻線に接続されるとともにブラシアセンブリ８０と摺動可能に接続されて、巻線を外部電源に電気的に接続する。この実施形態では、整流子５０は、エンドキャップアセンブリ６０に回転可能に取り付ける。
【００３０】
[0039]  図４及び図５を参照して、エンドキャップアセンブリ６０は、ロータアセンブリ３０を回転可能に支持し、かつブラシアセンブリ８０を支持するために使用される。エンドキャップアセンブリ６０は、エンドキャップ部分６１と、エンドキャップ部分６１に形成された軸受シート６８とを含む。エンドキャップ部分６１は、ブラシアセンブリ８０の構成部品を支持するために使用され、軸受シート６８は、その内部にロータアセンブリ３０を回転可能に支持及び収容するために使用される。この実施形態では、エンドキャップ部分６１及び軸受シート６８は、エンドキャップ６１及び軸受シート６８が互いに固定されることが保証されて、ロータアセンブリ３０は回転中の安定性が良くなるように、一体に形成される。
【００３１】
[0040]  エンドキャップ部分６１及び軸受シート６８は以下のように形成できることを理解されたい。軸受シート６８をエンドキャップ部分６１に埋め込めた状態で、エンドキャップ部分６１は、軸受シート６８上に射出成形される。この実施形態では、エンドキャップ部分６１はプラスチックで作製され、軸受シート６８は鋳鉄のような固い耐摩耗性材料で作製される。
【００３２】
[0041]  この実施形態では、エンドキャップ部分６１は、ブラシアセンブリ８０を収容するための第１の収容チャンバ６１２及び第２の収容チャンバ６１３（図６）が、エンドキャップ部分６１の２つの側面にそれぞれ定まる、ほぼ立方形の構造である。エンドキャップ部分６１は、エンドキャップ部分６１を通過して第１収容チャンバ６１２及び第２の収容チャンバ６１３と連絡する、少なくとも２つの穴６１５をさらに定める。
【００３３】
[0042]  第１の収容チャンバ６１２の底から、軸受シート収納部分６３が第２の収容チャンバ６１３から遠ざかる方向に延びている。この実施形態では、軸受シート収納部分６３は、軸受シート６８を取り付けるために使用される。軸受シート収納部分６３は、内部構造が軸受シート６８と形状が一致する中空円筒状であり、結果として軸受シート６８は、軸受シート収納部分６３に固定して収容される。軸受シート収納部分６３は、第１の収容チャンバ６１２の向かい側にあるその一端に取付孔６３１を定める。取付孔６３１は、軸３２を回転可能に支持する軸受６８５を取り付けるために使用される。
【００３４】
[0043]  第２の収容チャンバ６１３の底から、整流子収納部分６４及び少なくとも２つのブラシ保持部６５が、第１の収容チャンバ６１２から遠ざかる方向に延びている。この実施形態では、整流子収納部分６４は、ほぼ中空の円筒状構造であり、軸受シート収納部分６３と連絡しかつ同軸に配置される。整流子収納部分６４は、整流子５０を収容するために使用される。この実施形態では、２つのブラシ保持部６５は、整流子収納部分６４の円周側面に配置され、整流子収納部分６４の中心に関して対称である。各ブラシ保持部６５は、整流子収納部分６４と連絡し、ブラシアセンブリ８０が整流子５０に摺動可能にかつ電気的に接続することを可能にする。
【００３５】
[0044]  第２の収容チャンバ６１３の底に複数のロック部分６６が配置される。この実施形態では、ロック部分６６と第２の収容チャンバ６１３の下壁及び側壁とは、協働して、ブラシアセンブリ８０の構成部品の一部を収容するための収容空間を定める。別の実施形態では、収容空間は、下壁又は側壁から別個に延びて収容空間を有する構造によって形成することもできる。
【００３６】
[0045]  エンドキャップ部分６１の一側面から、収容部分６７が半径方向でエンドキャップ部分６１から遠ざかって延びている。収容部分６７の一端面は、第１の収容チャンバ６１２の底と平行である。収容部分６７は、ブラシアセンブリ８０を支持するために第１の収容チャンバ６１２と協働する。
【００３７】
[0046]  軸受シート６８は、板部材６８１と、板部材６８１のほぼ中央領域に配置された軸受スリーブ６８３とを含む。板部材６８１は、第１の収容チャンバ６１２と第２の収容チャンバ６１３の底部との間に配置され、軸受スリーブ６８３は、収納部分６３及び整流子収納部分６４と連絡しかつ同軸に配置される。板部材６８１に、複数の接触タブ６８１２及び複数の支持部材６８１３が配置される。この実施形態では、各接触タブ６８１２は、板部材６８１の延長部を板部材６８１の予めセットされた場所で曲げることにより形成される。この実施形態では、延長部は、板部材６８１のほぼ４つの角に位置する。接触タブ６８１２は、接地のためにハウジング１０につながる。この実施形態では、一部の接触タブ６８１２は、第１の収容チャンバ６１２を通過してブラシアセンブリ８０に接続し、他の一部の接触タブ６８１２は、ハウジング１０につながる。各支持部材６８１３は、板部材６８１から垂直に延びている。各支持部材の一端は、第１の収容チャンバ６１２の下壁を通過して回路基板８１につながり、それによって回路基板８１を第１の収容チャンバ６１２内に固定しかつ位置決めする。この実施形態では、各支持部材６８１３は、板部材６８１に穴を開け、次いで、穴開け部分を曲げることにより形成される。他の実施形態では、支持部材６８１３は、はんだ付け、リベット留め又は接着により板部材６８１に固定することもできる。
【００３８】
[0047]  板部材６８１は、複数の係合穴（参照番号を付さない）をさらに定め、係合穴の数は、ＥＭＩ抑制部８７の数と同じである。各係合穴は、貫通穴６１５の１つと同軸である。各係合穴は、ＥＭＩ抑制部８７の１つがそれを通過することを可能にし、しかも対応する貫通穴６１５と協働して、対応するＥＭＩ抑制部８７を接地に固定及び接続する。
【００３９】
[0048]  ブラシアセンブリ８０は、回路基板８１と、複数のブラシ８３と、回路基板８１に取り付けた２つのインダクタＬと、少なくとも１つの熱スイッチ８６と、２つのＥＭＩ抑制部８７と、コンデンサ８８と、センサアセンブリ８９と、複数の充填９０とを含む。この実施形態では、回路基板８１は、互いに向かい側にある第１の端面８１１（図５）及び第２の端面８１２を有する。
【００４０】
[0049]  この実施形態では、回路基板８１は、第１の収容チャンバ６１２に取り付けた主本体８１４と、主本体８１４の一面に配置されて収容部分６７に取り付けた延長部８１５とを含む。この実施形態では、主本体８１４の形状は、エンドキャップ部分６１の形状とほぼ同じである。接触タブ６８１２の端部が、第１の収容チャンバ６１２の下壁を通過して、主本体８１４につながる。
【００４１】
[0050]  各ブラシ８３は、ブラシ８３の一端を整流子５０に摺動可能にかつ電気的に接続し、他端を対応する１つの電源分岐回路８５の一端に電気的に接続した状態で、対応するブラシ保持部６５に取り付ける。この実施形態では、ブラシ８３の数は２つであり、２つのブラシ８３の取付け場所は１８０度離間している。
【００４２】
[0051]  この実施形態では、一方の電源分岐回路８５は、一方のブラシ８３（正のブラシ）と、一方のインダクタＬと、熱スイッチ８６と、１つのＥＭＩ抑制部８７と、陽極として作用する１つの電力接続端子９０とを含む。他方の電源分岐回路８５は、他方のブラシ８３（負のブラシ）と、他方のインダクタＬと、他方のＥＭＩ抑制部８７と、陰極として作用する他方の電力接続端子９０とを含む。
【００４３】
[0052]  各電源分岐回路８５の電子部品は、回路基板８１の第１の端面８１１及び第２の端面８１２上に印刷されたレイアウト配線８５１と、ブラシ８３に接続された導線とを含む電線によって電気的に接続できることを理解されたい。レイアウト配線８５１は、銅箔から作製されることが好ましく、レイアウト配線８５１のレイアウト経路は、回路基板８１上の構成部品の位置によって決定することができる。レイアウト配線８５１は、例えば直線に又は曲線に配置することができ、しかも回路基板８１の第１の端面８１１及び第２の端面８１２の両面上に配置することができる。
【００４４】
[0053]  熱スイッチ８６は、第２の収容チャンバ６１３に取り付ける。ロック部分６６は、熱スイッチ８６に係合して熱スイッチ８６を固定する。熱スイッチ８６は、その一端が一方のブラシ８３に接続され、その他端が一方のＥＭＩ抑制部８７に電気的に接続された状態で、正の接続端子と正のブラシとを接続する分岐回路に配置される。
【００４５】
[0054]  この実施形態では、２つのインダクタＬは互いに並列であり、第１の収容チャンバ６１２に収容される。２つのインダクタＬは、軸受シート収容部分６３の２つの側面に位置する。
【００４６】
[0055]  各ＥＭＩ抑制部８７は、対応する一方の貫通穴６１５に収容される。一方のＥＭＩ抑制部８７の一端は、一方のインダクタＬに電気的に接続され、他端は、負のブラシ８３に電気的に接続される。他方のＥＭＩ抑制部８７の一端は、他方のインダクタＬに電気的に接続され、他端は、熱スイッチ８６に電気的に接続される。
【００４７】
[0056]  各ＥＭＩ抑制部８７は、電導体コア８７１と、電導体コア８７１の周りに取り付けたカバー８７３と、電導体コア８７１とカバー８７３との間に充填された充填媒体８７５とを含む。カバー８７３、電導体コア８７１及び充填媒体８７５は、軸方向コンデンサを形成する。カバー８７３及び電導体コア８７１は、軸方向コンデンサの２つの電極として作用する。電導体コア８７１はカバー８７３を通過し、電導体コア８７１の一端は、回路基板８１上のレイアウト配線８５１を通って対応するインダクタＬに電気的に接続され、他端は、ブラシ８３又は熱スイッチ８６に電気的に接続される。充填媒体８７５は、電気的に非導電性材料から作製され、電導体コア８７１とカバー８７３との間に、電導体８７１及びカバー８７３が同軸で配置されるように充填される。この実施形態では、カバー８７３は中空のシリンダであり、カバー８７３のうちインダクタＬに隣接する一端は、主本体８１４上の接地ライン（不図示）と接触することにより、対応する接触タブ６８１２に接続されて接地する。カバー８７３は、貫通穴６１５に固定され、回路基板８１上の接地ライン及び板部材６８１に接続されて接地する。モータ１００によって生成されるＥＭＩは、ＥＭＩ抑制部８７、エンドキャップ部分６１及び接地ラインを通って接地することができる。さらに、２つのＥＭＩ抑制部８７は、主本体８１４のうち延長部８１５の向かい側にある一側面に位置する。
【００４８】
[0057]  電導体コア８７１及びカバー８７３は、軸方向コンデンサの向かい合う電極であることを理解されたい。コンデンサを設けたことにより、そのようなコンデンサを設けない状況と比べて、接地インピーダンスを下げることができる。
【００４９】
[0058]  この実施形態では、コンデンサ８８の数は３つである。１つのコンデンサ８８は、正及び負の電力接続端子９０間に接続される。他の各々のコンデンサ８８は、１つの電源分岐回路８５に接続された一端と、接地ラインに接続された他端とを有し、向上したフィルタ結果を得る。
【００５０】
[0059]  センサアセンブリ８９は、ホールセンサ８９１及び回路８９３を含む。ホールセンサ８９１は、回路基板８１上の回路８９３を通って電力を受け取るために、電力接続端子９０の２つに電気的に接続される。この実施形態では、電力接続端子９０の数は４つであり、電力接続端子９０の２つは、２つの電源分岐回路８５にそれぞれ接続され、電力接続端子９０の他の２つは、回路８９３の２つの端部にそれぞれ接続される。
【００５１】
[0060]  図６も参照して、エンドキャップアセンブリ６０は、ブラシ８３をエンドキャップアセンブリ６０とハウジング１０との間に収容した状態で、ハウジング１０の開放端に取り付ける。軸３２は、ロータコア３４及び整流子５０を順に通過して軸受シート６８に配置された軸受に取り付ける。電力接続端子９０は収容部分６７に収容される。
【００５２】
[0061]  図７を参照して、線Ａは、本発明によるモータ１００の１つのブラシ８３によって生成されたＥＭＩの進行経路を表わす。分かるように、ブラシ８３によって生成されたＥＭＩは、ＥＭＩ抑制部８７に案内されて、板部材６８１を通ってハウジング１０まで経路が定まる。そのため、ＥＭＩは、設計された経路に沿って進み、それによって他の電子部品への干渉が回避される。
【００５３】
[0062]  図８及び図９も参照して、図８及び図９は、それぞれ、従来のモータの放射ＥＭＩ試験結果及び伝導ＥＭＩ試験結果、並びに本発明のモータ１００の放射ＥＭＩ試験結果及び伝導ＥＭＩ試験結果を示す線図である。特に、曲線Ａは、放射ＥＭＩ試験結果を表わす。横軸はモータのＥＭＩ周波数を表わし、単位はギガヘルツ（ＧＨｚ）である。縦軸はモータのＥＭＩ振幅を表わし、単位はｄＢｕＶ／ｍである。縦軸値が小さいことは、ＥＭＩ抑制結果が良いことを示す。特に、モータＥＭＩ周波数が１．５ＧＨｚ及び４．５ＧＨｚにて、本発明のモータ１００の騒音は、それぞれ、ほぼ５０ｄＢ及び３５ｄＢであり、その一方で、従来のモータの騒音は、それぞれ、ほぼ６０ｄＢ及び５５ｄＢである。分かるように、本発明のＥＭＩ抑制部８７の使用により、騒音を効果的に低減することができ、モータの作動がより安定して、信頼性がより高くなる。
【００５４】
[0063]  本発明のモータ１００では、ＥＭＩ抑制部８７は、ブラシアセンブリ８０の各電源分岐回路８５に直列に接続され、ＥＭＩ抑制部８７は、主本体８１４上で延長部部分８１５と反対側に位置し、結果として回路は、反ＥＭＩ能力を高める。さらに、ＥＭＩ抑制部８７は、回路基板８１及びエンドキャップ部分６１に垂直な軸方向コンデンサであり、ブラシによって生成されたＥＭＩは、ＥＭＩ抑制部に案内されて板部材を通ってハウジングまで経路が定まり、それは、電磁放射をさらに効果的に低減させる。
【００５５】
[0064]  本発明は、１つ以上の実施形態を参照して説明するが、実施形態の上記説明は、当業者が本発明を実行し又は使用することを可能にするためのみに使用する。本発明の精神又は範囲から逸脱することなく様々な修正が可能であることは当業者によって認識されるべきである。本明細書に示した実施形態は、本発明に対する限定として解釈すべきでなく、本発明の範囲は、以下に続く請求項を参照することによって決定すべきである。
【符号の説明】
【００５６】
１０  ハウジング
３０  ロータアセンブリ
３２  軸
４０  ステータアセンブリ
６５  ブラシ保持部
６７  収容部分
６８  軸受シート
８０  ブラシアセンブリ
８１  回路基板
８３  ブラシ
８５  電源分岐回路
８７  ＥＭＩ抑制部
８８  コンデンサ
８９  センサアセンブリ
６１２  第１の収容チャンバ
６８５  軸受
８１３  主本体
８１５  延長部
８７１  導電体コア
８７３  カバー
８７５  充填媒体
【図１】
2017189092.tif 000003
【図２】
2017189092.tif 000004
【図３】
2017189092.tif 000005
【図４】
2017189092.tif 000006
【図５】
2017189092.tif 000007
【図６】
2017189092.tif 000008
【図７】
2017189092.tif 000009
【図８】
2017189092.tif 000010
【図９】
2017189092.tif 000011
【外国語明細書】
2017189092000001.pdf